(57)【要約】【課題】電子商取引上で配信されるライブ動画に関する付加価値を提供すること。【解決手段】本願に係る情報処理プログラムは、電子商取引において取引される商品又はサービスに関するライブ動画の配信時刻を含む情報を記憶部から取得する取得手順と、取得手順で取得した情報に含まれる配信時刻よりも前に、ライブ動画を撮像するためのカメラを起動させる起動ボタンを表示画面に表示させる処理を行う処理手順とをコンピュータに実行させる。【選択図】図１
2019102073.tif 000002
【特許請求の範囲】
【請求項１】
電子商取引において取引される商品又はサービスに関するライブ動画の配信時刻を含む情報を記憶部から取得する取得手順と、
前記取得手順で取得した情報に含まれる前記配信時刻よりも前に、前記ライブ動画を撮像するためのカメラを起動させる起動ボタンを表示画面に表示させる処理を行う処理手順と
をコンピュータに実行させることを特徴とする情報処理プログラム。
【請求項２】
前記処理手順は、
前記起動ボタンを前記表示画面に表示させた後に、前記ライブ動画の配信を開始させる開始ボタンを表示画面に表示させる処理を行う
ことを特徴とする請求項１に記載の情報処理プログラム。
【請求項３】
前記処理手順は、
前記情報に含まれる前記配信時刻に基づいて、前記開始ボタンを表示させる
ことを特徴とする請求項２に記載の情報処理プログラム。
【請求項４】
前記処理手順によって前記ライブ動画が配信された場合、当該配信の終了までの時間を表示画面に表示させる表示手順を前記コンピュータに実行させる
ことを特徴とする請求項１〜３のいずれか１つに記載の情報処理プログラム。
【請求項５】
電子商取引において取引される商品又はサービスに関するライブ動画の配信時刻を含む情報を記憶部から取得する取得部と、
前記取得部で取得した情報に含まれる前記配信時刻よりも前に、前記ライブ動画を撮像するためのカメラを起動させる起動ボタンを表示画面に表示させる処理を行う処理部と
を備えることを特徴とする情報処理装置。
【請求項６】
コンピュータが実行する情報処理装置の情報処理方法であって、
電子商取引において取引される商品又はサービスに関するライブ動画の配信時刻を含む情報を記憶部から取得する取得工程と、
前記取得工程で取得した情報に含まれる前記配信時刻よりも前に、前記ライブ動画を撮像するためのカメラを起動させる起動ボタンを表示画面に表示させる処理を行う処理工程と
を含むことを特徴とする情報処理方法。
【発明の詳細な説明】
【技術分野】
【０００１】
本発明は、情報処理プログラム、情報処理装置および情報処理方法に関する。
【背景技術】
【０００２】
従来、ネットワークを利用して提供されるライブ配信などの処理技術において、ライブ配信などのイベント情報を取得し、かかるイベントの開始に合わせたタイミングで所定の動作がなされるように処理する技術が知られている（例えば、特許文献１）。
【先行技術文献】
【特許文献】
【０００３】
【特許文献１】特開２０１７−４５４２５号公報
【発明の概要】
【発明が解決しようとする課題】
【０００４】
しかしながら、上述した従来技術では、開催予定のイベントに係る情報を提示し、ユーザが参加したいイベントを選択するに過ぎず、電子商取引上で配信されるライブ動画に関する付加価値を提供できるとは限らなかった。
【０００５】
本願は、上記に鑑みてなされたものであって、電子商取引上で配信されるライブ動画に関する付加価値を提供することができる情報処理プログラム、情報処理装置および情報処理方法を提供することを目的とする。
【課題を解決するための手段】
【０００６】
本願に係る情報処理プログラムは、電子商取引において取引される商品又はサービスに関するライブ動画の配信時刻を含む情報を記憶部から取得する取得手順と、かかる取得手順で取得した情報に含まれる配信時刻よりも前に、ライブ動画を撮像するためのカメラを起動させる起動ボタンを表示画面に表示させる処理を行う処理手順とをコンピュータに実行させる。
【発明の効果】
【０００７】
実施形態の一態様によれば、電子商取引上で配信されるライブ動画に関する付加価値を提供することができる。
【図面の簡単な説明】
【０００８】
【図１】図１は、実施形態に係る情報処理の概要を示す説明図である。
【図２】図２は、実施形態に係る端末装置の構成例を示す説明図である。
【図３】図３は、実施形態に係る情報処理装置の構成例を示す説明図である。
【図４】図４は、実施形態に係る商品情報データベースに登録される商品情報の一例を示す図である。
【図５】図５は、実施形態に係る予約情報データベースに登録される予約情報の一例を示す図である。
【図６】図６は、実施形態に係る端末装置におけるストアアカウントを選択する画面の一例を示す図である。
【図７】図７は、実施形態に係る端末装置における予約選択画面の一例を示す図（その１）である。
【図８】図８は、実施形態に係る端末装置における予約入力画面の一例を示す図（その１）である。
【図９】図９は、実施形態に係る端末装置における予約選択画面の一例を示す図（その２）である。
【図１０】図１０は、実施形態に係る端末装置における予約入力画面の一例を示す図（その２）である。
【図１１】図１１は、実施形態に係る端末装置における予約選択画面に起動ボタンが表示された様子を示す図である。
【図１２】図１２は、実施形態に係る端末装置における画面にライブ配信における注意事項が表示された様子を示す図である。
【図１３】図１３は、実施形態に係る端末装置における画面にライブ配信の開始時刻までのカウントダウンが表示された様子を示す図である。
【図１４】図１４は、実施形態に係る端末装置における画面に開始ボタンが表示された様子を示す図である。
【図１５】図１５は、実施形態に係る端末装置における画面にライブ配信の終了時刻までのカウントダウンが表示された様子を示す図である。
【図１６】図１６は、実施形態に係る端末装置１０における画面にＥＣサイトが表示される一例を示す図である。
【図１７】図１７は、実施形態に係る情報処理装置による処理手順の一例を示すフローチャートである。
【図１８】図１８は、情報処理装置の機能を実現するコンピュータの一例を示すハードウェア構成図である。
【発明を実施するための形態】
【０００９】
以下に、本願に係る情報処理プログラム、情報処理装置および情報処理方法を実施するための形態（以下、「実施形態」と呼ぶ）について図面を参照しつつ詳細に説明する。なお、この実施形態により本願に係る情報処理プログラム、情報処理装置および情報処理方法が限定されるものではない。また、以下の実施形態において同一の部位には同一の符号を付し、重複する説明は省略される。
【００１０】
［１．情報処理の概念］
まず、図１を参照しながら実施形態に係る情報処理の概要について説明する。図１は、実施形態に係る情報処理の概要を示す説明図である。実施形態に係る端末装置１０がＥＣ（Electronic  Commerce：電子商取引）サイト上で商品の検索、販売、購入などを可能とする機能を提供するアプリケーション（ショッピングアプリ）を実行し、実施形態に係る情報処理装置１００と協働して行う情報処理の概要について説明する。
【００１１】
なお、以下では、一般消費者間で取引するＣ  ｔｏ  Ｃ（Consumer  to  Consumer）のＥＣサイトについて説明するが、ＥＣサイトは企業の販売業者と一般消費者とが取引するＢ  ｔｏ  Ｃ（Business  to  Consumer）取引のＥＣサイトであってもよい。
【００１２】
図１に示すように、情報処理システム１は、端末装置１０と、情報処理装置１００とを含む。端末装置１０と、情報処理装置１００とは、ネットワークを介して有線または無線により通信可能に接続される。なお、図１に示す情報処理システム１には、複数台の端末装置が含まれる。
【００１３】
端末装置１０は、ＥＣサイトにおいて取引される商品又はサービスに関するライブ動画を配信するユーザによって利用される装置である。例えば、端末装置１０は、スマートフォンなどの携帯電話機や、タブレット端末や、ＰＤＡ（Personal  Digital  Assistant）等や、デスクトップ型ＰＣ（Personal  Computer）や、ノート型ＰＣとすることができる。なお、以下では、端末装置１０を、ここでは「スマートフォン」と呼ばれる携帯端末として説明する。
【００１４】
また、端末装置１０は、情報処理装置１００に商品の出品を依頼するユーザＵ０１によって利用される装置である。例えば、端末装置１０は、ユーザＵ０１の操作にしたがって、出品する商品に関する各種商品情報を情報処理装置１００に送信する。
【００１５】
また、端末装置１０は、ユーザＵ０１による操作にしたがって、ＥＣサイトにおいて取引される商品又はサービスに関するライブ動画の配信を予約するための予約情報を情報処理装置１００に送信する。
【００１６】
情報処理装置１００は、端末装置１０に対して各種サービスを提供するサーバ用ホストコンピュータである。情報処理装置１００は、例えば、ＥＣサイトとして機能するショッピングサーバである。情報処理装置１００は、オンラインストアに対してオンラインモールの機能を提供する。また、情報処理装置１００は、端末装置１０に対して、端末装置１０から要求されたＥＣサイトにおいて取引される商品又はサービスに関するライブ動画を配信するサービスを提供する。つまり、かかる情報処理装置１００は、端末装置１０に対して、ユーザが販売促進を図ることができるＥＣサイトを提供する。
【００１７】
また、情報処理装置１００は、端末装置１０から上記した予約情報を受け付け、受け付けた予約情報に基づいて、端末装置１０に対してＥＣサイトにおいて取引される商品又はサービスに関するライブ動画を配信するための処理を実行する。
【００１８】
具体的には、情報処理装置１００は、端末装置１０に対して、ライブ動画を撮像するためのカメラを起動させる起動ボタンを表示画面に表示させる処理や、ライブ動画の配信を開始させる開始ボタンを表示画面に表示させる処理を実行する。
【００１９】
このように、実施形態に係る情報処理装置１００は、ＥＣサイトにおいて取引される商品又はサービスに関するライブ動画の配信を予約するための予約情報に応じた付加処理を実現する。かかる形態について図１を用いてさらに説明を続ける。
【００２０】
図１に示すように、まず、ユーザＵ０１による端末装置１０の操作にしたがって、ＥＣサイトにおいて取引される商品又はサービスに関するライブ動画の配信を予約するための予約情報を情報処理装置１００に送信する（ステップＳ１０）。かかる予約情報は、ユーザＵ０１が端末装置１０の予約画面において選択および入力された情報であり、後述の図６〜図１０を用いて詳述する。
【００２１】
続いて、情報処理装置１００は、端末装置１０から送信された予約情報を受け付ける（ステップＳ１１）。そして、情報処理装置１００は、受け付けた予約情報を後述する予約情報データベース１２２（図５参照）に登録する（ステップＳ１２）。
【００２２】
そして、情報処理装置１００は、予約情報データベース１２２に登録された予約情報に基づいて、端末装置１０に対してＥＣサイトにおいて取引される商品又はサービスに関するライブ動画を配信するための処理を実行する（ステップＳ１３）。
【００２３】
具体的には、情報処理装置１００は、予約情報に含まれるライブ動画の配信の開始時刻の所定時間前に現在の時刻が到達した場合に、端末装置１０に対してライブ動画を撮像するためのカメラを起動させる「カメラ起動」ボタンの表示指示を出す（ステップＳ１３Ａ）。これにより、端末装置１０の表示画面には、「カメラ起動」ボタンが表示される。そして、ユーザＵ０１が「カメラ起動」ボタンをタップすることで、端末装置１０においてライブ動画を撮像するためのカメラが起動することになる。
【００２４】
また、情報処理装置１００は、予約情報に含まれるライブ動画の配信の開始時刻に現在の時刻が到達した場合に、端末装置１０に対してライブ動画の配信を開始させる「配信を開始する」ボタンの表示指示を出す（ステップＳ１３Ｂ）。これにより、端末装置１０の表示画面には、「配信を開始する」ボタンが表示される。そして、ユーザＵ０１が「配信を開始する」ボタンをタップすることで、端末装置１０においてライブ動画を配信することが可能となる。
【００２５】
このように、情報処理装置１００は、端末装置１０から予約情報を受け付け、受け付けた予約情報に基づいて、端末装置１０に対してＥＣサイトにおいて取引される商品又はサービスに関するライブ動画を配信するための処理を実行する。これにより、電子商取引において取引される商品又はサービスに関するライブ動画の配信を予約するための予約情報に応じた付加処理を提供することができる。
【００２６】
なお、情報処理装置１００が、端末装置１０に対してＥＣサイトにおいて取引される商品又はサービスに関するライブ動画を配信するための処理を実行するのではなく、端末装置１０にインストールされているアプリケーションが、かかる処理を実行してもよい。
【００２７】
［２．端末装置の構成例］
次に、図２を用いて、実施形態に係る端末装置１０について説明する。図２は、実施形態に係る端末装置１０の構成例を示す図である。図２に示すように、端末装置１０は、通信部１１と、入力部１２と、出力部１３と、撮像部１４と、アプリ制御部２０とを有する。
【００２８】
通信部１１は、ネットワークに通信可能に接続された情報処理装置１００との間で通信するＮＩＣ（Network  Interface  Card）などのインターフェイスである。
【００２９】
入力部１２は、ユーザから各種操作を受け付ける入力装置である。例えば、入力部１２は、キーボードやマウスや操作キー等によって実現される。出力部１３は、各種情報を表示するための表示装置である。例えば、出力部１３は、液晶ディスプレイ等によって実現される。なお、端末装置１０にタッチパネルが採用された場合には、入力部１２と出力部１３とは一体化される。
【００３０】
撮像部１４は、ＥＣサイトにおいて取引される商品又はサービスに関するライブ動画を撮るためのカメラ機能を実現する。撮像部１４は、レンズ等の光学系と、ＣＣＤ（Charge  Coupled  Device）イメージセンサ、ＣＭＯＳ（Complementary  Metal  Oxide  Semiconductor）センサ等の撮像素子と、を有するカメラである。かかる撮像部１４は、入力部１２を介してユーザから受け付けた操作にしたがって、例えば、ＥＣサイトで紹介されている現物の商品を撮像する。
【００３１】
アプリ制御部２０は、ＥＣサイト上で商品の検索、販売、購入などを可能とする機能を提供するアプリケーションを制御し、ユーザの操作に応じてかかるアプリケーションを起動する。アプリ制御部２０は、コントローラ（controller）であり、例えば、ＣＰＵ（Central  Processing  Unit）やＭＰＵ（Micro  Processing  Unit）等によって、端末装置１０の内部の記憶装置に記憶されている各種プログラム（情報処理プログラムの一例に相当）がＲＡＭを作業領域として実行されることにより実現される。また、アプリ制御部２０は、例えば、コントローラであり、ＡＳＩＣ（Application  Specific  Unit）やＦＰＧＡ（Field  Programmable  Gate  Array）等の集積回路により実現される。
【００３２】
図２に示すように、アプリ制御部２０は、表示制御部２１と、送信部２２と、受信部２３と、配信部２４とを有する。かかるアプリ制御部２０は、以下に説明する情報処理の機能や作用を実現または実行する。なお、アプリ制御部２０の内部構成は、図２に示した構成に限られず、後述する情報処理を行う構成であれば他の構成であってもよい。
【００３３】
表示制御部２１は、入力部１２によって受け付けられた各種操作に応じて、出力部１３に各種情報を表示制御する。具体的には、表示制御部２１は、情報処理装置１００からの指示を受けてライブ動画を撮像するためのカメラを起動させる「カメラ起動」ボタンや、ライブ動画の配信を開始させる「配信を開始する」ボタンを出力部１３に表示させる。
【００３４】
送信部２２は、各種情報を送信する。例えば、送信部２２は、入力部１２によって入力されたＥＣサイトにおいて取引される商品又はサービスに関するライブ動画の配信を予約するための予約情報を情報処理装置１００に送信する。
【００３５】
受信部２３は、各種情報を受信する。例えば、受信部２３は情報処理装置１００から送信されるライブ動画を撮像するためのカメラを起動させる「カメラ起動」ボタンの表示や、ライブ動画の配信を開始させる「配信を開始する」ボタンの表示を指示する指示情報などを受信する。
【００３６】
配信部２４は、各種情報を配信する。例えば、配信部２４は、端末装置１０のカメラを介して入力されるライブ動画データをリアルタイムに生成し、生成した動画データを情報処理装置１００に配信する。
【００３７】
［３．情報処理装置の構成例］
次に、図３を用いて、実施形態に係る情報処理装置１００について説明する。図３は、実施形態に係る情報処理装置１００の構成例を示す図である。図３に示すように、情報処理装置１００は、通信部１１０と、記憶部１２０と、制御部１３０とを有する。
【００３８】
通信部１１０は、例えば、ＮＩＣ等によって実現される。また、通信部１１０は、ネットワークと有線または無線で接続される。
【００３９】
記憶部１２０は、例えば、ＲＡＭ、フラッシュメモリ（Flash  Memory）等の半導体メモリ素子、または、ハードディスク、光ディスク等の記憶装置によって実現される。図３に示すように、記憶部１２０は、商品情報データベース１２１と、予約情報データベース１２２とを有する。
【００４０】
商品情報データベース１２１は、ＥＣサイトに出品された商品の商品情報が登録されるデータベースである。
【００４１】
図４は、実施形態に係る商品情報データベース１２２に登録される商品情報の一例を示す図である。図４に示す例では、「ユーザＩＤ」、「商品ＩＤ」、「商品名」、「商品情報」、「写真」、および「現在価格」といった項目を有する情報が登録される。なお、商品情報データベース１２１には、図４に示す項目以外にも、任意の項目を有する情報が登録されていてもよい。
【００４２】
ここで、「ユーザＩＤ」とは、端末装置１０を使用しているユーザを示す識別子である。例えば、ユーザＩＤ「Ｕ０１」で識別されるユーザは、以下、「ユーザＵ０１」と称することとする。このユーザＩＤは、例えば、クッキーＩＤまたはユーザが端末装置１０を用いて情報処理装置１００に対して会員登録した際に情報処理装置１００から払い出されるＩＤであってもよい。
【００４３】
また、「商品ＩＤ」とは、各商品を識別するための識別情報である。また「商品名」とは、出品された商品の名称であり、ユーザによって設定された商品の名称である。また「商品情報」とは、商品の出品時にユーザによって登録される商品情報であり、商品の説明、商品のカテゴリ等である。また「写真」とは、商品が撮像された画像であり、商品のみが撮像された画像、ユーザが撮影した商品の画像、若しくは、出品画像である。また「現在価格」とは、商品の現在の価格である。
【００４４】
例えば、図４に示す例では、商品情報データベース１２１には、ユーザＵ０１がＥＣサイトに「商品Ａ」、「商品Ｂ」…を出品しており、例えば、「商品Ａ」の商品ＩＤが「Ｃ０１」であり、商品情報が「商品情報Ａ」である旨が登録されている。また、商品情報データベース１２１には、「商品Ａ」の写真が「Ｐ０１」であり、「商品Ａ」の現在価格が「１０，０００円」である旨が登録されている。
【００４５】
予約情報データベース１２２は、端末装置１０から送信されるＥＣサイトにおいて取引される商品又はサービスに関するライブ動画の配信を予約するための予約情報が登録されるデータベースである。
【００４６】
図５は、実施形態に係る予約情報データベース１２２に登録される予約情報の一例を示す図である。図５に示す例では、「ユーザＩＤ」、「ストアアカウント」、「配信日」、「配信開始時刻」、「配信終了時刻」、「タイトル」、「概要」、「タグ（カテゴリ）」、および「販売商品」といった項目を有する情報が登録される。なお、予約情報データベース１２２には、図５に示す項目以外にも、任意の項目を有する情報が登録されていてもよい。
【００４７】
ここで、「ストアアカウント」とは、ユーザがＥＣサイトへの出店申し込み時に登録したストアを識別する識別子である。また「配信日」とは、ライブ動画の配信が行われる日である。また「配信開始時刻」とは、ライブ動画の配信が開始される時刻である。また「配信終了時刻」とは、ライブ動画の配信が終了される時刻である。
【００４８】
また「タイトル」とは、ライブ動画の配信内容を端的に表す標題である。また「概要」とは、ライブ動画の配信内容を具体的に説明した内容である。また「タグ（カテゴリ）」とは、ライブ動画の配信内容の分類である。また「販売商品」とは、ライブ動画の配信において販売される商品である。
【００４９】
例えば、図５に示す例では、予約情報データベース１２３には、ユーザＵ０１のストアアカウントが「ＡＡＡＡＡＩＤ０１」であり、配信日が「２０１７／１１／１０」であり、配信開始時刻が「２０：３０」であり、配信終了時刻が「２１：００」であり、タグ（カテゴリ）が「レディースファッション」であり、販売商品が「商品Ａ」および「商品Ｂ」である旨が登録されている。なお、「販売商品」における「商品Ａ」および「商品Ｂ」は、上記した商品情報データベース１２２に登録されている「商品Ａ」および「商品Ｂ」である。つまり、ユーザＵ０１は、「販売商品」を商品情報データベース１２１に予め登録している商品情報から選択することになる。
【００５０】
図３に戻り、説明を続ける。制御部１３０は、コントローラ（controller）であり、例えば、ＣＰＵ（Central  Processing  Unit）、ＭＰＵ（Micro  Processing  Unit）、ＡＳＩＣ（Application  Specific  Integrated  Circuit）やＦＰＧＡ（Field  Programmable  Gate  Array）等によって、情報処理装置１００内部の記憶装置に記憶されている各種プログラム（情報処理プログラムの一例に相当）がＲＡＭ等の記憶領域を作業領域として実行されることにより実現される。図３に示す例では、制御部１３０は、受付部１３１、判定部１３２、表示指示部１３３、受信部１３４および配信部１３５を有する。
【００５１】
受付部１３１は、ＥＣサイトにおいて取引される商品又はサービスに関するライブ動画の配信を予約するための予約情報を端末装置１０から受け付ける。かかる受付部１３１は、受け付けた予約情報を上記した予約情報データベース１２２に登録する。
【００５２】
判定部１３２は、予約情報データベース１２２に登録された予約情報に含まれるライブ動画の配信の開始時刻の所定時間前に現在の時刻が到達したか否かを判定する。なお、所定時間を、例えば、１０分とした場合、ライブ動画の配信の開示時刻が「１８：３０」であれば所定時間前とは「１８：２０」である。また、判定部１３２は、予約情報データベース１２２に登録された予約情報に含まれるライブ動画の配信の開示時刻に現在の時刻が到達したか否かを判定する。
【００５３】
また、判定部１３２は、ライブ動画の配信の開始時刻前までに端末装置１０の出力部１３に表示されたライブ動画を撮像するためのカメラを起動させる起動ボタンのタップがあったか否かを判定する。また、判定部１３２は、予約情報に含まれるライブ動画の配信の終了時刻前までに端末装置１０の出力部１３に表示されたライブ動画の配信を開始させる開始ボタンのタップがあったか否かを判定する。
【００５４】
表示指示部１３３は、判定部１３２によってライブ動画の配信の開始時刻の所定時間前に現在の時刻が到達したと判定し、かつ、端末装置１０側でユーザがリロード操作を行った場合、ライブ動画を撮像するためのカメラを起動させる起動ボタンを端末装置１０の出力部１３に表示させる指示をする。なお、表示指示部１３３は、端末装置１０側でユーザがリロード操作を行わなくても、判定部１３２によってライブ動画の配信の開始時刻の所定時間前に現在の時刻が到達したと判定した場合に、起動ボタンを端末装置１０の出力部１３に表示させる指示をしてもよい。
【００５５】
また、表示指示部１３３は、判定部１３２によってライブ動画の配信の開始時刻に現在の時刻が到達したと判定した場合、ライブ動画の配信を開始させる開始ボタンを端末装置１０の出力部１３に表示させる指示をする。
【００５６】
また、表示指示部１３３は、ライブ動画の配信の開始時刻前までに判定部１３２によって起動ボタンのタップがあったと判定した場合、ライブ動画の配信の開始時刻までの時間を端末装置１０の出力部１３に表示させる指示をする。具体的には、表示指示部１３３は、例えば、ライブ動画の配信の開始時刻までのカウントダウン、ライブ動画の配信の開始時刻までのカウントアップ、またはカメラの起動からライブ配信の開始までの時刻などを端末装置１０の出力部１３に表示させる指示をする。
【００５７】
また、表示指示部１３３は、ライブ動画の配信の終了時刻前までに判定部１３２によって開始ボタンのタップがあったと判定した場合、ライブ動画の配信の終了時刻までの時間を端末装置１０の出力部１３に表示させる指示をする。具体的には、表示指示部１３３は、例えば、ライブ動画の配信の終了時刻までのカウントダウン、ライブ動画の配信の終了時刻までのカウントアップ、またはライブ配信の開始から終了までの時刻などを端末装置１０の出力部１３に表示させる指示をする。
【００５８】
受信部１３４は、端末装置１０からの各種情報を受信する。例えば、受信部１３４は、端末装置１０から配信される、端末装置１０のカメラで撮像した動画データを受信する。
【００５９】
配信部１３５は、各種情報を配信する。例えば、配信部１３５は、受信部１３４によって受信した動画データを、複数の視聴者の各々の端末装置１０に配信する。なお、動画データの配信は、例えば、ストリーミング方式を用いて行われる。
【００６０】
［４．端末装置による表示例］
次に、図６〜図１５を参照して、実施形態に係る端末装置１０による表示例について説明する。なお、図６〜図１５は、端末装置１０の出力部１３においてストアアカウントを選択する画面からライブ動画の配信の終了時刻までのカウントダウンが表示される画面までの画面遷移を示している。以下において、順番に図６から端末装置１０の出力部１３に表示される画面について説明する。
【００６１】
図６は、実施形態に係る端末装置１０におけるストアアカウントを選択する画面の一例を示す図である。かかる画面は、ユーザＵ０１が端末装置１０においてＥＣサイト上で商品の検索、販売、購入などを可能とする機能を提供するアプリケーションを起動し、アプリのログイン画面に自身のＩＤを入力した後に表示される画面である。
【００６２】
図６に示すように、ユーザＵ０１がアプリの入力画面に自身のＩＤを入力すると、出力部１３には、かかるＩＤと連携されているストアアカウントの一覧Ｔ１０と、「別の○○○IDに切り替える」の表示欄Ｔ１３と、「確定する」のボタン表示Ｔ１２とが表示される。
【００６３】
なお、ストアアカウントの一覧Ｔ１０はＩＤと連携されているストアアカウントが複数ある場合に表示され、ＩＤと連携されているストアアカウントが１つの場合は１つのストアアカウントが表示される。
【００６４】
このように、ＩＤと連携されているストアアカウントが複数あることで、一人のユーザＵ０１が、例えば、ＥＣサイト上における複数のストアに、各ストアの種類に応じて商品を出品することができる。
【００６５】
ユーザＵ０１は、ストアアカウントの一覧Ｔ１０の中から任意のアカウントを選択する。この例では、ユーザＵ０１は、「ＡＡＡＡＡＩＤ０１」のアカウント表示欄Ｔ１１をタップしている。そして、ユーザＵ０１が「確定する」のボタン表示Ｔ１２をタップすることで、次の画面に遷移する。そして、かかる画面において、「ライブ」のタブ表示をタップすることで、ＥＣサイトにおいて取引される商品又はサービスに関するライブ動画の配信を予約する予約画面の１つである予約選択画面に遷移する（図７参照）。
【００６６】
図７は、実施形態に係る端末装置１０における予約選択画面の一例を示す図（その１）である。図７に示すように、出力部１３には、配信予約テーブルＴ２が表示される。配信予約テーブルＴ２には、予約日と配信可能時間とが含まれる。この例では、出力部１３には、１週間先までの予約日（１１/１０（水）〜１１/１６（火））と、１８：００から２３：００までの配信可能時間とが表示される。配信可能時間は、この例では、１枠当たり３０分であり、出力部１３に「１８：００−１８：３０」の枠、「１８：３０−１９：００」の枠…として表示される。また、出力部１３に表示された予約選択画面の上方には、現在の時刻（「１８：４１」）と、「履歴」のタブ表示Ｔ１６とが表示される。
【００６７】
また、予約選択画面において、予約可能時間が過ぎた枠には「終了しました」といった情報と「×」とが表示され、すでに予約が埋まっている枠には「満席です」といった情報と「×」とが表示され、予約可能な枠には「予約する」のボタン表示と「○」とが表示される。
【００６８】
なお、予約可能時間が過ぎた枠とは、現在の時刻がライブ配信の開始時刻の所定時間、例えば、１０分前を過ぎた枠のことである。つまり、現在の時刻がライブ配信の開始時刻の所定時間前であれば予約が可能ということである。また、１枠当たりに同時配信できるチャンネル数に制限があり、チャンネル数と予約数とが同じになった場合に「満席です」といった情報が表示されることになる。
【００６９】
この例では、ユーザＵ０１は予定日の表示の中から「１１/１０（水）」の表示Ｔ１４をタップしており、出力部１３にはかかる予定日の予約選択画面が表示されている。そして、かかる予定日の予約選択画面には、「１８：００−１８：３０」の枠および「１８：３０−１９：００」の枠に「終了しました」といった情報と「×」とが表示されており、「２０：００−２０：３０」の枠に「満席です」といった情報と「×」とが表示されている。
【００７０】
ユーザＵ０１は、予約可能時間が過ぎておらず、予約が埋まっていない枠において表示されている「予約する」の表示をタップする。この例では、ユーザＵ０１は、「２０：３０−２１：００」の枠において表示されている「予約する」の表示Ｔ１５をタップしている。そして、「予約する」の表示Ｔ１５をタップすることで、ＥＣサイトにおいて取引される商品又はサービスに関するライブ動画の配信を予約する予約画面の１つである予約入力画面に遷移する（図８参照）。なお、ユーザＵ０１が「履歴」のタブ表示Ｔ１６をタップした場合、過去に予約したライブ配信の履歴画面に遷移し、過去のライブ配信の予約履歴を閲覧することができる。
【００７１】
図８は、実施形態に係る端末装置１０における予約入力画面の一例を示す図（その１）である。図８に示すように、出力部１３には、「タイトル」を入力する欄Ｔ１７と、「概要」を入力する欄Ｔ１８と、「タグ」を選択する欄Ｔ１９と、「サムネイル」の画像を設定する欄Ｔ２１と、「販売商品」を選択する欄Ｔ２２とが表示される。
【００７２】
また、出力部１３に表示された予約入力画面の上方には、現在の時刻（「１８：５５」）と、予約選択画面において選択した予約日時である「２０１７年１１月１０日  ２０：３０」と、「予約する」の表示Ｔ２３とが表示される。
【００７３】
「タイトル」を入力する欄Ｔ１７は、ライブ動画の配信内容を端的に表すタイトルを入力する欄である。この例では、ユーザＵ０１は、「タイトル」を入力する欄Ｔ１７に、「今年人気の冬服」といったタイトルを入力している。
【００７４】
「概要」を入力する欄Ｔ１８は、ライブ動画の配信内容を具体的に説明する内容を入力する欄である。この例では、ユーザＵ０１は、「概要」を入力する欄Ｔ１８に、「今年人気の冬服をご紹介します！」といった内容を入力している。
【００７５】
「タグ」を選択する欄Ｔ１９は、例えば、「レディースファッション」、「メンズファッション」、「家具、インテリア」、「食品」、「ドリンク、水、食品」、「キッチン、日用品、文具」の６つのカテゴリの中から１つを選択する欄である。この例では、ユーザＵ０１は、「タグ」を選択する欄Ｔ１９において「レディースファッション」を選択している。
【００７６】
「サムネイル」の画像を設定する欄Ｔ２１は、ＥＣサイトにおいて商品の購入を希望する者に対してユーザＵ０１が利用するストアへの誘導に使用する画像を設定する欄である。この例では、ユーザＵ０１は、自身の画像をアップロードしている。
【００７７】
「販売商品」を選択する欄Ｔ２２は、情報処理装置１００の商品情報データベース１２１に予め登録されているユーザＵ０１の商品群から販売商品を選択する欄である（図４参照）。この例では、ユーザＵ０１は、商品情報データベース１２１に予め登録されているユーザＵ０１の商品群から「商品Ａ」と「商品Ｂ」とを選択している。なお、選択した商品の順に番号が採番される。
【００７８】
ユーザＵ０１は、上記した欄Ｔ１７〜Ｔ２２における入力が終わったあと、「予約する」の表示Ｔ２３をタップすることで、端末装置１０の送信部２２によって予約情報が情報処理装置１００に送信される。
【００７９】
ここで、図９および図１０を用いて、予約した内容の変更および予約のキャンセルについて説明する。予約した内容の変更および予約のキャンセルは、現在の時刻が予約したライブ配信の開始時刻の所定時間、例えば、１０分前であれば可能である。図９は、実施形態に係る端末装置１０における予約選択画面の一例を示す図（その２）である。図１０は、実施形態に係る端末装置１０における予約入力画面の一例を示す図（その２）である。
【００８０】
図９に示すように、出力部１３に表示された予約情報を送信したあとの予約選択画面には、「２０：３０−２１：００」の枠において「確認・変更」のボタン表示Ｔ２４とチェック表示とが表示される。そして、ユーザＵ０１は、「確認・変更」のボタン表示Ｔ２４をタップすることで、現在の時刻（「１９：１０」）が予約したライブ配信の開始時刻（「２０：３０」）の１０分前ではないため、変更およびキャンセルが可能な予約入力画面に遷移する（図１０参照）。
【００８１】
図１０に示すように、出力部１３に表示された変更およびキャンセルが可能な予約入力画面の上方には「変更する」の表示Ｔ２５が表示される。また、かかる予約入力画面の下方には、「予約をキャンセルする」のボタン表示Ｔ２６が表示される。
【００８２】
ユーザＵ０１は、上記した欄Ｔ１７〜Ｔ２２において内容の変更をしたあと、「変更する」の表示Ｔ２５をタップすることで、端末装置１０の送信部２２によって変更された予約情報が情報処理装置１００に送信される。また、ユーザＵ０１は、「予約をキャンセルする」の表示Ｔ２６をタップすることで、端末装置１０の送信部２２によって予約情報をキャンセルするキャンセル情報が情報処理装置１００に送信される。
【００８３】
次に、図１１を用いて、ライブ動画を撮像するためのカメラを起動させる起動ボタンの表示について説明する。かかる起動ボタンは、情報処理装置１００の判定部１３２によってライブ配信の開始時刻の所定時間前に現在の時刻が到達したと判定し、かつ、端末装置１０側でユーザＵ０１がリロード操作を行った場合に、表示指示部１３３の指示によって端末装置１０の出力部１３に表示される。なお、かかる起動ボタンは、端末装置１０側でユーザＵ０１がリロード操作を行わなくても、判定部１３２によってライブ動画の配信の開始時刻の所定時間前に現在の時刻が到達したと判定した場合に、表示指示部１３３の指示によって起動ボタンを端末装置１０の出力部１３に表示されるようにしてもよい。図１１は、実施形態に係る端末装置１０における予約選択画面にカメラ起動ボタンが表示された様子を示す図である。
【００８４】
図１１に示すように、出力部１３に表示された予約選択画面の下方には、現在の時刻（「２０：２０」）が予約したライブ配信の開始時刻（「２０：３０」）の１０分前となったことで、「ライブ配信を開始してください」といった情報と、「カメラ起動」のボタン表示Ｔ２７とが表示される。
【００８５】
なお、「カメラ起動」のボタン表示Ｔ２７は、現在の時刻（「２０：２０」）が予約したライブ配信の開始時刻（「２０：３０」）の１０分前になったあと、ユーザＵ０１が予約選択画面をタップして、かかる予約選択画面のリロードを情報処理装置１００に要求してからリロードした予約選択画面と同時に表示される。また、「カメラ起動」のボタン表示Ｔ２７は、現在の時刻（「２０：２０」）が予約したライブ配信の開始時刻（「２０：３０」）の１０分前になったと同時に自動で表示されてもよい。
【００８６】
このように、端末装置１０が保有する時刻に基づいて「カメラ起動」のボタン表示Ｔ２７を表示させるのではなく、情報処理装置１００側で「カメラ起動」のボタン表示Ｔ２７の表示を指示することで、端末装置１０側におけるライブ配信の開始時間の改ざんを防止することができる。
【００８７】
そして、ユーザＵ０１が「カメラ起動」のボタン表示Ｔ２７をタップすることで、ライブ配信における注意事項が表示された画面に遷移する（図１２参照）。図１２は、実施形態に係る端末装置１０における画面にライブ配信における注意事項が表示された様子を示す図である。
【００８８】
図１２に示すように、出力部１３に表示された画面の中央には、ライブ配信の際の注意事項が記載された「注意事項」の表示と、「注意事項」を閉じる「閉じる」のボタン表示Ｔ２８とが表示される。また、かかる画面の上方には画面を閉じる「×」のボタン表示Ｔ２９が表示され、画面の下方には「ライブカメラを起動する」のボタン表示Ｔ３１が表示される。
【００８９】
そして、ユーザＵ０１が「ライブカメラを起動する」のボタン表示Ｔ３１をタップすることで、ライブ配信の開始時刻までのカウントダウンが表示された画面に遷移する（図１３参照）。かかるカウントダウンは、ライブ動画の配信の開始時刻前までに情報処理装置１００の判定部１３２によって「ライブカメラを起動する」のボタン表示Ｔ３１のタップがあったと判定した場合、表示指示部１３３の指示によって端末装置１０の出力部１３に表示される。図１３は、実施形態に係る端末装置１０における画面にライブ配信の開始時刻までのカウントダウンが表示された様子を示す図である。
【００９０】
図１３に示すように、出力部１３に表示された画面の上方には、ライブ配信の開始時刻までのカウントダウンの表示Ｔ３２と、インカメラとアウトカメラとを切り替える切替表示Ｔ３３とが表示される。また、かかる画面の下方には、ライブモードを終了するための「×」のボタン表示Ｔ３４が表示される。
【００９１】
ユーザＵ０１は、切替表示Ｔ３３をタップしてインカメラとアウトカメラとを切り替えるなどし、ライブ配信の開始時刻まで撮影アングルの調整を行う。
【００９２】
そして、ライブ動画の配信の開始時刻に現在の時刻が到達すると、画面にライブ配信を開始させる開始ボタンが表示される。かかる開始ボタンは、情報処理装置１００の判定部１３２によってライブ動画の配信の開始時刻に現在の時刻が到達したと判定した場合に、表示指示部１３３の指示によって端末装置１０の出力部１３に表示される。図１４は、実施形態に係る端末装置１０における画面に開始ボタンが表示された様子を示す図である。
【００９３】
図１４に示すように、出力部１３に表示された画面の上方には、「ライブ配信を開始してください」といった情報Ｔ３５が表示される。また、かかる画面の下方には、「配信を開始する」のボタン表示Ｔ３６が表示される。
【００９４】
なお、「配信を開始する」のボタン表示Ｔ３６は、現在の時刻（「２０：３０」）が予約したライブ配信の開始時刻（「２０：３０」）になったと同時に自動で表示される。
【００９５】
そして、ユーザＵ０１が「配信を開始する」のボタン表示Ｔ３６をタップすることで、端末装置１０におけるライブ配信が開始される。また、ライブ配信が開始された画面には、ライブ配信の終了時刻までのカウントダウンが表示される（図１５参照）。かかるカウントダウンは、ライブ動画の配信の終了時刻前までに情報処理装置１００の判定部１３２によって「配信を開始する」のボタン表示Ｔ３６のタップがあったと判定した場合に、表示指示部１３３の指示によって端末装置１０の出力部１３に表示される。図１５は、実施形態に係る端末装置１０における画面にライブ配信の終了時刻までのカウントダウンが表示された様子を示す図である。
【００９６】
図１５に示すように、出力部１３に表示された画面の上方には、ライブ配信の終了時刻までのカウントダウンの表示Ｔ３７が表示される。また、かかる画面の下方には、ライブ配信中にライブ配信を終了させる「配信を終了する」のボタン表示Ｔ３８が表示される。
【００９７】
ユーザＵ０１は、ライブ配信の終了時刻まで、予約情報に含まれる「商品Ａ」と「商品Ｂ」の販売商品について、視聴者に向けた商品説明を行う。
【００９８】
ここで、商品を購入するユーザの端末装置１０の画面に表示されるＥＣサイトについて説明する。図１６は、実施形態に係る端末装置１０における画面にＥＣサイトが表示される一例を示す図である。
【００９９】
図１６に示すように、出力部１３に表示されたＥＣサイトの画面には、ＥＣサイトにおいてライブ配信される複数の商品情報が表示される。ユーザは、かかる画面において、ライブ配信される複数の商品情報の中から一つの商品情報を選択する。この例では、ユーザは、ＥＣサイトにおいてライブ配信中の商品情報Ｔ４０をタップしている。そして、商品情報Ｔ４０をタップすることで、ユーザは、商品情報Ｔ４０のライブ動画を視聴することができる。
【０１００】
［５．情報処理装置による処理フロー］
次に、図１７を参照しながら実施形態に係る情報処理装置１００による処理手順の一例について説明する。図１７は、実施形態に係る情報処理装置１００による処理手順の一例を示すフローチャートである。
【０１０１】
図１７に示すように、情報処理装置１００は、端末装置１０からＥＣサイトにおいて取引される商品又はサービスに関するライブ動画の配信を予約するための予約情報を所定時間内に受け付けたか否かを判定し（ステップＳ１０１）、所定時間内に予約情報を受け付けていないと判定した場合（ステップＳ１０１：Ｎｏ）、処理を終了する。
【０１０２】
一方、情報処理装置１００は、所定時間内に予約情報を受け付けたと判定した場合（ステップＳ１０１：Ｙｅｓ）、予約情報データベース１２３に予約情報を登録する（ステップＳ１０２）。
【０１０３】
次に、情報処理装置１００は、予約情報に含まれるライブ動画の配信の開始時刻の所定時間前に現在の時刻が到達したか否かを判定し（ステップＳ１０３）、到達していないと判定した場合（ステップＳ１０３：Ｎｏ）、到達するまで判定処理を繰り返す。そして、到達したと判定した場合（ステップＳ１０３：Ｙｅｓ）、情報処理装置１００は、端末装置１０の出力部１３に、ライブ動画を撮像するためのカメラを起動させるための起動ボタンを表示させる（ステップＳ１０４）。
【０１０４】
次に、情報処理装置１００は、ライブ動画の開始時刻前までに、起動ボタンのタップがあったか否かを判定し（ステップＳ１０５）、起動ボタンのタップがなかったと判定した場合（ステップＳ１０５：Ｎｏ）、処理を終了する。
【０１０５】
一方、情報処理装置１００は、起動ボタンのタップがあったと判定した場合（ステップＳ１０５：Ｙｅｓ）、端末装置１０の出力部１３に、ライブ動画の配信の開始時刻までのカウントダウンを表示させる（ステップＳ１０６）。
【０１０６】
次に、情報処理装置１００は、ライブ動画の配信の開始時刻に現在の時刻が到達したか否かを判定し（ステップＳ１０７）、到達していないと判定した場合（ステップＳ１０７：Ｎｏ）、到達するまで判定処理を繰り返す。そして、到達したと判定した場合（ステップＳ１０７：Ｙｅｓ）、情報処理装置１００は、端末装置１０の出力部１３に、ライブ動画の配信を開始させる開始ボタンを表示させる（ステップＳ１０８）。
【０１０７】
次に、情報処理装置１００は、予約情報に含まれるライブ動画の終了時刻前までに、開始ボタンのタップがあったか否かを判定し（ステップＳ１０９）、開始ボタンのタップがなかったと判定した場合（ステップＳ１０９：Ｎｏ）、処理を終了する。
【０１０８】
一方、情報処理装置１００は、開始ボタンのタップがあったと判定した場合（ステップＳ１０９：Ｙｅｓ）、端末装置１０の出力部１３に、ライブ動画の配信の終了時刻までのカウントダウンを表示させて（ステップＳ１１０）、処理を終了する。
【０１０９】
［６．ハードウェア構成］
上述してきた実施形態に係る情報処理装置１００は、例えば、図１８に示すような構成のコンピュータ２００によって実現される。以下、情報処理装置１００を例に挙げて説明する。図１８は、情報処理装置１００の機能を実現するコンピュータ２００の一例を示すハードウェア構成図である。コンピュータ２００は、ＣＰＵ２１０、ＲＡＭ２２０、ＲＯＭ２３０、ＨＤＤ２４０、通信インターフェイス（Ｉ／Ｆ）２５０、入出力インターフェイス（Ｉ／Ｆ）２６０、およびメディアインターフェイス（Ｉ／Ｆ）２７０を有する。
【０１１０】
ＣＰＵ２１０は、ＲＯＭ２３０またはＨＤＤ２４０に格納されたプログラムに基づいて動作し、各部の制御を行う。ＲＯＭ２３０は、コンピュータ２００の起動時にＣＰＵ２１０によって実行されるブートプログラムや、コンピュータ２００のハードウェアに依存するプログラム等を格納する。
【０１１１】
ＨＤＤ２４０は、ＣＰＵ２１０によって実行されるプログラム、および、かかるプログラムによって使用されるデータ等を格納する。通信インターフェイス２５０は、ネットワークを介して他の機器からデータを受信してＣＰＵ２１０へ送り、ＣＰＵ２１０が生成したデータを、ネットワークを介して他の機器へ送信する。
【０１１２】
ＣＰＵ２１０は、入出力インターフェイス２６０を介して、ディスプレイやプリンタ等の出力装置、および、キーボードやマウス等の入力装置を制御する。ＣＰＵ２１０は、入出力インターフェイス２６０を介して、入力装置からデータを取得する。また、ＣＰＵ２１０は、生成したデータを、入出力インターフェイス２６０を介して出力装置へ出力する。
【０１１３】
メディアインターフェイス２７０は、記録媒体２８０に格納されたプログラムまたはデータを読み取り、ＲＡＭ２２０を介してＣＰＵ２１０に提供する。ＣＰＵ２１０は、かかるプログラムを、メディアインターフェイス２７０を介して記録媒体２８０からＲＡＭ２２０上にロードし、ロードしたプログラムを実行する。記録媒体２８０は、例えばＤＶＤ（Digital  Versatile  Disk）、ＰＤ（Phase  change  rewritable  Disk）等の光学記録媒体、ＭＯ（Magneto  Optical  disk）等の光磁気記録媒体、テープ媒体、磁気記録媒体、または半導体メモリ等である。
【０１１４】
例えば、コンピュータ２００が実施形態に係る情報処理装置１００として機能する場合、コンピュータ２００のＣＰＵ２１０は、ＲＡＭ２２０上にロードされたプログラムを実行することにより、制御部１３０の機能を実現する。また、ＨＤＤ２４０には、記憶部１２０内のデータが格納される。コンピュータ２００のＣＰＵ２１０は、これらのプログラムを記録媒体２８０から読み取って実行するが、他の例として、他の装置からネットワークを介してこれらのプログラムを取得してもよい。
【０１１５】
［７．その他］
また、上記実施形態において説明した各処理のうち、自動的に行われるものとして説明した処理の全部または一部を手動で行うこともできる、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１７】
また、上記実施形態では、情報処理装置１００において情報処理の機能・作用を実現・実行しているが、端末装置１０に情報処理装置１００が有する情報処理の機能・作用の一部を持たせ、端末装置１０において情報処理の機能・作用の一部を実現・実行してもよい。情報処理装置１００に端末装置１０が有する情報処理の機能・作用の一部を持たせ、情報処理装置１００において情報処理の機能・作用の一部を実現・実行してもよい。
【０１１８】
上述の実施形態では、起動ボタンおよび開始ボタンを表示させる処理を情報処理装置１００側で行っているが、端末装置１０側で行ってもよい。また、カウントダウンを表示させる処理を情報処理装置１００側で行っているが、端末装置１０側で行ってもよい。
【０１１９】
また、上述してきた各実施形態に記載された各処理は、処理内容を矛盾させない範囲で適宜組み合わせることが可能である。
【０１２０】
例えば、上述した情報処理装置１００は、複数のサーバコンピュータで実現してもよく、また、機能によっては外部のプラットホーム等をＡＰＩ（Application  Programming  Interface）やネットワークコンピューティング等で呼び出して実現するなど、構成は柔軟に変更できる。
【０１２１】
［８．効果］
上述したように、実施形態に係る情報処理プログラムは、コンピュータに、電子商取引において取引される商品又はサービスに関するライブ動画の配信を予約するための予約情報を受け付ける受付手順と、受付手順で受け付けた予約情報に基づいて、ライブ動画を配信するための処理を行う処理手順とを実行させる。これにより、電子商取引において取引される商品又はサービスに関するライブ動画の配信を予約するための予約情報に応じた付加処理を提供できる。
【０１２２】
また、実施形態に係る情報処理プログラムは、コンピュータに、ライブ動画を配信する処理として、ライブ動画を撮像するためのカメラを起動させる起動ボタンを表示画面に表示させる処理手順を実行させる。これにより、ライブ動画の配信の操作時における誤操作を防止することができる。
【０１２３】
また、実施形態に係る情報処理プログラムは、コンピュータに、ライブ動画の配信時間を含む予約情報を受け付ける受付手順と、予約情報に含まれる配信時間に基づいて、起動ボタンを表示させる処理手順とを実行させる。これにより、ライブ動画の配信時間に起動ボタンを確実に表示させることができる。
【０１２４】
また、実施形態に係る情報処理プログラムは、コンピュータに、ライブ動画を配信するための処理として、ライブ動画の配信を開始させる開始ボタンを表示画面に表示させる処理手順を実行させる。これにより、ライブ動画の配信の操作時における誤操作を防止することができる。
【０１２５】
また、実施形態に係る情報処理プログラムは、コンピュータに、ライブ動画の配信時間を含む予約情報を受け付ける受付手順と、予約情報に含まれる配信時間に基づいて、開始ボタンを表示させる処理手順とを実行させる。これにより、ライブ動画の配信時間に開始ボタンを確実に表示させることができる。
【０１２６】
また、実施形態に係る情報処理プログラムは、コンピュータに、処理手順によってライブ動画が配信された場合、かかる配信の終了までの時間を表示画面に表示させる表示手順を実行させる。これにより、ライブ動画の配信者はライブ動画の終了時刻までの残りの時間を把握することができる。
【０１２７】
以上の効果は、上述の情報処理プログラムを利用する情報処理装置１００や端末装置１０においても生起する。
【０１２８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１２９】
また、上記してきた「部（section、module、unit）」は、「手段」や「回路」などに読み替えることができる。例えば、受付部は、受付手段や受付回路に読み替えることができる。
【符号の説明】
【０１３０】
１      情報処理システム
１０    端末装置
１１    通信部
１２    入力部
１３    出力部
１４    撮像部
２０    アプリ制御部
２１    表示制御部
２２    送信部
２３    受信部
２４    配信部
１００  情報処理装置
１１０  通信部
１２０  記憶部
１２１  商品情報データベース
１２２  予約情報データベース
１３０  制御部
１３１  受付部
１３２  判定部
１３３  表示指示部
１３４  受信部
１３５  配信部
２００  コンピュータ
【図１】
2019102073.tif 000003
【図２】
2019102073.tif 000004
【図３】
2019102073.tif 000005
【図４】
2019102073.tif 000006
【図５】
2019102073.tif 000007
【図６】
2019102073.tif 000008
【図７】
2019102073.tif 000009
【図８】
2019102073.tif 000010
【図９】
2019102073.tif 000011
【図１０】
2019102073.tif 000012
【図１１】
2019102073.tif 000013
【図１２】
2019102073.tif 000014
【図１３】
2019102073.tif 000015
【図１４】
2019102073.tif 000016
【図１５】
2019102073.tif 000017
【図１６】
2019102073.tif 000018
【図１７】
2019102073.tif 000019
【図１８】
2019102073.tif 000020